(57)【要約】【課題】照明装置を用いて植物を栽培する栽培装置の作業効率低下を防止し、かつ空調に要する費用の増加を防止する。【解決手段】栽培装置（１Ａ）は、天板（６ａ・６ｂ）と、天板（６ａ・６ｂ）の一部に固定された照明部（７）と、照明部（７）を含む明期部（８）と、照明部（７）を含まない暗期部（９）と、車輪（ＷＨ）を有するプランター（ＰＬ）とを備える。【選択図】図１
2015177785.tif 000002
【特許請求の範囲】
【請求項１】
天板と、
上記天板の一部領域に固定されている照明部と、
上記照明部を含み、栽培している植物が明期のとき当該植物が配される明期部と、
上記照明部を含まず、上記植物が暗期のとき当該植物が配される暗期部と、
上記植物が栽培されている栽培部とを備え、
上記栽培部は、上記明期部及び暗期部間を移動可能とする移動部を有することを特徴とする栽培装置。
【請求項２】
上記明期部に配され、上記照明部と対向配置されている明期棚と、
上記暗期部に配され、上記明期棚の一側面と接続されていると共に、互いに隣接し、順に並んで配された複数の暗期棚を備え、
上記複数の暗期棚は、互いに隣接する暗期棚同士が非平行であることを特徴とする請求項１記載の栽培装置。
【請求項３】
上記複数の暗期棚は、平面視において順に並ぶ第１暗期棚、第２暗期棚、及び第３暗期棚を備え、
上記第２暗期棚は水平であり、
上記第１暗期棚は、上記明期棚と近い側の端部である第１端部よりも遠い側の端部である第２端部の方が鉛直方向上方となるように傾斜しており、
上記第３暗期棚は、上記明期棚と近い側の端部である第１端部よりも遠い側の端部である第２端部の方が鉛直方向下方となるように傾斜していることを特徴とする請求項２記載の栽培装置。
【請求項４】
上記複数の暗期棚は、平面視において順に並ぶ第１暗期棚、第２暗期棚、及び第３暗期棚を備え、
上記第１暗期棚と上記第３暗期棚との距離は、上記第２暗期棚に配される植物の幅以上であることを特徴とする請求項２記載の栽培装置。
【請求項５】
上記互いに隣接する複数の暗期棚は、互いに離間していることを特徴とする請求項２〜４のいずれか１項に記載の栽培装置。
【請求項６】
上記明期部と暗期部とは互いに隣接して設けられていると共に、
上記明期部と暗期部との間を遮光する遮光部材が設けられていることを特徴とする請求項１記載の栽培装置。
【請求項７】
上記遮光部材は、上記栽培部における移動方向の両端にそれぞれ立設された栽培部搭載遮光部材からなっていることを特徴とする請求項６記載の栽培装置。
【請求項８】
上記明期部と暗期部とは互いに隣接して設けられ、
上記明期部と暗期部との間を遮光する遮光部材が設けられており、
上記遮光部材は、上記栽培部における移動方向の両端にそれぞれ立設された栽培部搭載遮光部材からなっていると共に、
上記栽培部搭載遮光部材は、上記栽培部における移動方向の両端に立設された柱部材と、この柱部材の上端にて水平方向に軸支されて軸の回りに回動自在の遮光板とからなっていることを特徴とする請求項２〜５のいずれか１項に記載の栽培装置。
【請求項９】
上記遮光部材は、上記明期部と暗期部との間を仕切り、かつ上記栽培部における上記明期部及び暗期部間の移動を可能とする間仕切り部材からなっていることを特徴とする請求項６、７又は８記載の栽培装置。
【請求項１０】
上記明期部と暗期部とをそれぞれ個別に空調する個別空調部が設けられていることを特徴とする請求項６〜９のいずれか１項に記載の栽培装置。
【発明の詳細な説明】
【技術分野】
【０００１】
本発明は、植物を照明することで栽培する栽培装置に関する。
【背景技術】
【０００２】
近年、植物工場で植物が栽培されている。図１４は、植物工場で使用されている従来の多段式のラックの構成を表す図である。
【０００３】
図１４に示すように、ラック１０１は、上段に配された栽培室１０８ａと、栽培室１０８ａの下段に配された栽培室１０８ｂとを有する。栽培室１０８ａ・１０８ｂのそれぞれの内部には、プランターに配された植物Ｐ１００が設置されている。さらに、栽培室１０８ａ・１０８ｂのそれぞれの天板には、植物Ｐ１００を照明するための、蛍光灯またはＬＥＤなどからなる照明装置１０７が設置されている。
【０００４】
このように、従来のラック１０１は、全ての栽培室１０８ａ・１０８ｂに照明装置１０７を設置している。このため、初期投資を上昇させる原因となっていた。
【０００５】
また、昼に相当する期間である明期と夜に相当する期間である暗期とは植物Ｐ１００の特性によってその長さが変動するものの、暗期には照明装置１０７を消灯する必要がある。一般的な植物工場においては、１日のうち一定期間は暗期のため、照明装置１０７を消灯する。この暗期は、照明装置１０７が使用されないため、固定資産である全ての照明装置１０７の遊休期間となる。
【０００６】
植物工場におけるイニシャルコストの中で、照明装置が占める割合は高いため、照明装置の稼働率を高めるための方法が提案されている。
【０００７】
特許文献１には、栽培している植物が設置された多段の棚を有するラックが開示されている。特許文献１では、このラックの天板及び各棚の裏面に、レールに沿って上記棚と平行に移動可能な照明器具が設置されている。この照明器具により、天板及び各棚それぞれの下方に設置された植物を照明する。
【０００８】
特許文献１によると、照明器具を一定期間毎に移動させて植物を照明するため、照明器具の必要個数を約半分程度に抑えることができ、密閉型栽培工場設備に掛かる初期の設備費を大幅に減らすことが可能であるとされている。
【０００９】
特許文献２〜４には、栽培密度を高めたり作業性を向上させたりするなど、効率よく植物を栽培するために、植物を栽培するための培地である栽培ベッドを移動させる装置が開示されている。
【００１０】
特許文献２、３では、一方向に延伸する軸に、複数の栽培ベッドを吊るす。特許文献２、３の植物栽培装置によると、軸を回転させることで軸に吊るされた栽培ベッドを上下に移動させることができるとされている。
【００１１】
特許文献４では、レールが配された栽培ベッド移動機構に栽培ベッドを配する。当該構成により、特許文献４では、栽培ベッドをレールに沿って移動させることができるとされている。
【先行技術文献】
【特許文献】
【００１２】
【特許文献１】特開２０１１‐２４４７４０号（２０１１年１２月８日公開）
【特許文献２】特開２００３‐２４５０１６号（２００３年９月２日公開）
【特許文献３】特許３９１９６１４号（２００４年２月５日公開）
【特許文献４】特許５２７７３７９号（２０１０年３月１８日公開）
【発明の概要】
【発明が解決しようとする課題】
【００１３】
しかしながら、特許文献１の技術では、棚の裏面に、照明器具を取り付けるためのレールが必要で、棚を改造する必要がある。また、照明器具には電源から電力の供給を受けるための配線が接続されている。このため、照明器具がレールに沿って移動する場合、これに伴い、当該照明器具に接続されている配線も移動することになり、配線が絡む場合がある。このため、配線が絡まないように、照明器具を移動させる作業が必要であり、作業効率が低下するという課題を生じる。
【００１４】
また、特許文献１のように、照明器具がレールに沿って移動する構造は、明期及び暗期の温度差が必要な植物の育成には適さない。
【００１５】
たとえば、一季で実がなるいちごを栽培する場合、明期には２０℃前後に、暗期には１０℃前後に温度を変更する必要がある。
【００１６】
特許文献１の構造によると、照明器具が移動したあと、当該照明器具によって照明されていたいちごは暗期に入るため、当該いちごが栽培されている栽培部の温度も、明期の温度から暗期の温度へと変化させる必要がある。このため、空調に要する費用が増加するという課題が生じる。
【００１７】
特許文献２〜４には、栽培している植物を照明するための照明装置について記載されておらず、照明装置で植物を照明することで植物を栽培する植物工場には、そのまま適用することはできない。
【００１８】
本発明は、上記の問題点を解決するためになされたもので、その目的は、照明装置を用いて植物を栽培する栽培装置における作業効率の低下を防止し、かつ、空調に要する費用の増加を防止することである。
【課題を解決するための手段】
【００１９】
上記の課題を解決するために、本発明の一態様に係る栽培装置は、天板と、上記天板の一部領域に固定されている照明部と、上記照明部を含み、栽培している植物が明期のとき当該植物が配される明期部と、上記照明部を含まず、上記植物が暗期のとき当該植物が配される暗期部と、上記植物が栽培されている栽培部とを備え、上記栽培部は、上記明期部及び暗期部間を移動可能とする移動部を有することを特徴とする。
【発明の効果】
【００２０】
本発明の一態様によれば、照明装置を用いて植物を照明する栽培装置における作業効率の低下を防止し、かつ、空調に要する費用の増加を防止するという効果を奏する。
【図面の簡単な説明】
【００２１】
【図１】（ａ）は本発明の実施形態１における栽培装置の構成を示す正面図であり、（ｂ）は（ａ）に示す栽培装置の構成を示す側面図である。
【図２】図１に示す栽培装置の１段目の棚を示す平面図である。
【図３】（ａ）は本発明の実施形態２における栽培装置の構成を示す正面図であり、（ｂ）は（ａ）に示す栽培装置の構成を示す側面図である。
【図４】図３に示す栽培装置の１段目の棚を示す平面図である。
【図５】（ａ）は上記栽培装置の変形例の構成を示す正面図であり、（ｂ）は（ａ）に示す栽培装置の構成を示す側面図である。
【図６】（ａ）は本発明の実施形態３における栽培装置の構成を示す正面図であり、（ｂ）は（ａ）に示す栽培装置の構成を示す側面図である。
【図７】図６の（ａ）（ｂ）に示す栽培装置の１段目の棚を示す平面図である。
【図８】（ａ）は本発明の実施形態４における栽培装置の構成を示す正面図であり、（ｂ）は（ａ）に示す栽培装置の構成を示す側面図である。
【図９】上記栽培装置における上側の１段目を背面から見たときの透視図である。
【図１０】本発明の実施形態５における栽培装置を示すものであって、遮蔽部材を取り付けたプランターの構成を示す斜視図である。
【図１１】（ａ）（ｂ）（ｃ）は上記栽培装置のプランターに取り付けられた遮光部材としての栽培部搭載遮光部材の構成を示すものであって、棚の傾斜に応じて栽培部搭載遮光部材の遮光板が軸の回りに回動している状態を示す側面図である。
【図１２】上記プランターに取り付けられた栽培部搭載遮光部材の遮光板によって、明期部及び暗期部が遮光されている状態の栽培装置を示す側面図である。
【図１３】（ａ）は本発明の実施形態６における栽培装置の構成を示す正面図であり、（ｂ）は（ａ）に示す栽培装置の構成を示す斜視図である。
【図１４】植物工場で使用されている従来の多段式のラックの構成を示す図である。
【発明を実施するための形態】
【００２２】
〔実施形態１〕
以下、本発明の実施形態１について説明する。
【００２３】
（栽培装置１Ａの全体構成）
図１の（ａ）は実施形態１に係る栽培装置１Ａの正面図であり、図１の（ｂ）は図１の（ａ）に示す栽培装置１Ａの側面図である。図２は、図１に示す栽培装置１Ａの１段目の棚の平面図である。
【００２４】
栽培装置１Ａは、光源により植物を照明することで当該植物を栽培する密閉型の植物工場に設置される植物栽培用の装置である。栽培装置１Ａは、栽培している植物を設置するための空間である栽培室を上下に２段有する多段の栽培装置である。そして、各段の栽培室は、栽培している植物が明期のときに当該植物を配するための明期部８と、当該植物が暗期のときに当該植物を配するための暗期部９とを有する。
【００２５】
なお、栽培装置１Ａは２段の栽培室を有するものとして説明するが、栽培室の段数は２段に限定されず、１段のみであってもよいし、３段以上であってもよい。また、図２では１段目の棚の平面構造を表しているが、２段目の棚の平面構造も１段目と同じである。
【００２６】
栽培装置１Ａは、複数の支柱５と、２段の天板６ａ・６ｂと、複数の照明部７と、２段の暗期棚１１ａ・１２ａ・１３ａ及び暗期棚１１ｂ・１２ｂ・１３ｂと、２段の明期棚２１ａ・２１ｂとを備える。栽培装置１Ａは、１段目（上段）の栽培室８ａ・９ａと、２段目（下段）の栽培室８ｂ・９ｂとを有する。栽培室８ａ・８ｂは明期部８における栽培部である。栽培室９ａ・９ｂは暗期部９における栽培部である。
【００２７】
１段目の栽培室８ａ・９ａは、植物を載置するための暗期棚１１ａ・１２ａ・１３ａ及び明期棚２１ａと、暗期棚１１ａ・１２ａ・１３ａ及び明期棚２１ａを覆う天板６ａと、天板６ａの裏面の一部領域であって明期棚２１ａと対向する領域に固定されている照明部７とによって構成されている。２段目の栽培室８ｂ・９ｂは、１段目の栽培室８ａ・９ａの下方に配されており、植物を載置するための暗期棚１１ｂ・１２ｂ・１３ｂ及び明期棚２１ｂと、暗期棚１１ｂ・１２ｂ・１３ｂ及び明期棚２１ｂを覆う天板６ｂと、天板６ｂの裏面の一部領域であって明期棚２１ｂと対向する領域内に固定されている照明部７とによって構成されている。
【００２８】
換言すると、明期部８は照明部７を含む栽培室８ａ・８ｂを有する。また、暗期部９は照明部７を含まない栽培室９ａ・９ｂを有する。
【００２９】
暗期棚１１ａ・１２ａ・１３ａ・１１ｂ・１２ｂ・１３ｂと、天板６ａ・６ｂとは、複数の支柱５によって支持されている。
【００３０】
照明部７は、ＬＥＤ又は蛍光灯を備え、明期棚２１ａ又は明期棚２１ｂに配された植物を照明するための光源である。照明部７は、図示しない電源と配線によって接続されており、当該電源から電力の供給を受けることで光を出射する。
【００３１】
（明期棚及び暗期棚の配置）
図１の（ａ）（ｂ）及び図２を用いて明期棚及び暗期棚の配置について説明する。なお、図２では、栽培装置１Ａのうち１段目の明期棚２１ａ及び暗期棚１１ａ・１２ａ・１３ａについて示しているが、２段目の明期棚２１ｂ及び暗期棚１１ｂ・１２ｂ・１３ｂも同様の配置である。
【００３２】
明期棚２１ａ・２１ｂ及び暗期棚１１ａ・１２ａ・１３ａ・１１ｂ・１２ｂ・１３ｂは板状の部材である。
【００３３】
明期棚２１ａ・２１ｂは、照明部７が配されている明期部８に配されている。換言すると、明期部８では、照明部７を介して間接的に明期棚２１ａ・２１ｂと天板６ａ・６ｂとのそれぞれが対向して配されている。暗期棚１１ａ・１２ａ・１３ａ・１１ｂ・１２ｂ・１３ｂは、照明部７が配されていない暗期部９に配されている。換言すると、暗期部９では、暗期棚１１ａ・１２ａ・１３ａ・１１ｂ・１２ｂ・１３ｂは天板６ａ・６ｂのうち照明部７が配されていない領域と直接対向配置されている。
【００３４】
明期棚２１ａは水平になるように配されている。暗期棚１１ａ・１２ａ・１３ａは、この順に並んで平行となるように互いに隣接配置されている。暗期棚１１ａ・１２ａ・１３ａは、明期棚２１ａと平行に、明期棚２１ａと接続されている。
【００３５】
暗期棚１１ａは一対の第１端部１１ａ１及び第２端部１１ａ２を有する。第１端部１１ａ１及び第２端部１１ａ２のうち、第１端部１１ａ１は、明期棚２１ａに近い側の端部であり、明期棚２１ａの一側面と接続されている。第１端部１１ａ１及び第２端部１１ａ２のうち、第２端部１１ａ２は、明期棚２１ａから遠い側の端部である。
【００３６】
暗期棚１１ａは水平となるよう明期棚２１ａと平行に配されている。換言すると、暗期棚１１ａは、明期棚２１ａに近い側の第１端部１１ａ１と、遠い側の第２端部１１ａ２とが同じ高さとなっている。
【００３７】
暗期棚１２ａは一対の第１端部１２ａ１及び第２端部１２ａ２を有する。第１端部１２ａ１及び第２端部１２ａ２のうち、第１端部１２ａ１は、明期棚２１ａに近い側の端部であり、明期棚２１ａの一側面と接続されている。第１端部１２ａ１及び第２端部１２ａ２のうち、第２端部１２ａ２は、明期棚２１ａから遠い側の端部である。
【００３８】
暗期棚１２ａは水平となるよう明期棚２１ａと平行に配されている。換言すると、暗期棚１２ａは、明期棚２１ａに近い側の第１端部１２ａ１と、遠い側の第２端部１２ａ２とが同じ高さとなっている。
【００３９】
暗期棚１３ａは一対の第１端部１３ａ１及び第２端部１３ａ２を有する。第１端部１３ａ１及び第２端部１３ａ２のうち、第１端部１３ａ１は、明期棚２１ａに近い側の端部であり、明期棚２１ａの一側面と接続されている。第１端部１３ａ１及び第２端部１３ａ２のうち、第２端部１３ａ２は、明期棚２１ａから遠い側の端部である。
【００４０】
暗期棚１３ａは水平となるよう明期棚２１ａと平行に配されている。換言すると、暗期棚１３ａは、明期棚２１ａに近い側の第１端部１３ａ１と、遠い側の第２端部１３ａ２とが同じ高さとなっている。
【００４１】
明期棚２１ｂは水平になるように配されている。暗期棚１１ｂ・１２ｂ・１３ｂは、この順に並んで互いに隣接配置されている。暗期棚１１ｂ・１２ｂ・１３ｂは、明期棚２１ｂと平行に、明期棚２１ｂと接続されている。
【００４２】
暗期棚１１ｂは一対の第１端部１１ｂ１及び第２端部１１ｂ２を有する。第１端部１１ｂ１及び第２端部１１ｂ２のうち、第１端部１１ｂ１は、明期棚２１ｂに近い側の端部であり、明期棚２１ｂの一側面と接続されている。第１端部１１ｂ１及び第２端部１１ｂ２のうち、第２端部１１ｂ２は、明期棚２１ｂから遠い側の端部である。
【００４３】
暗期棚１１ｂは水平となるよう明期棚２１ｂと平行に配されている。換言すると、暗期棚１１ｂは、明期棚２１ｂに近い側の第１端部１１ｂ１と、遠い側の第２端部１１ｂ２とが同じ高さとなっている。
【００４４】
暗期棚１２ｂは一対の第１端部１２ｂ１及び第２端部１２ｂ２を有する。第１端部１２ｂ１及び第２端部１２ｂ２のうち、第１端部１２ｂ１は、明期棚２１ｂに近い側の端部であり、明期棚２１ｂの一側面と接続されている。第１端部１２ｂ１及び第２端部１２ｂ２のうち、第２端部１２ｂ２は、明期棚２１ｂから遠い側の端部である。
【００４５】
暗期棚１２ｂは水平となるよう明期棚２１ｂと平行に配されている。換言すると、暗期棚１２ｂは、明期棚２１ｂに近い側の第１端部１２ｂ１と、遠い側の第２端部１２ｂ２とが同じ高さとなっている。
【００４６】
暗期棚１３ｂは一対の第１端部１３ｂ１及び第２端部１３ｂ２を有する。第１端部１３ｂ１及び第２端部１３ｂ２のうち、第１端部１３ｂ１は、明期棚２１ｂに近い側の端部であり、明期棚２１ｂの一側面と接続されている。第１端部１３ｂ１及び第２端部１３ｂ２のうち、第２端部１３ｂ２は、明期棚２１ｂから遠い側の端部である。
【００４７】
暗期棚１３ｂは水平となるよう明期棚２１ｂと平行に配されている。換言すると、暗期棚１３ｂは、明期棚２１ｂに近い側の第１端部１３ｂ１と、遠い側の第２端部１３ｂ２とが同じ高さとなっている。
【００４８】
（植物の配置）
次に、図１の（ａ）（ｂ）及び図２を用いて栽培装置１Ａで栽培している植物の配置について説明する。
【００４９】
栽培装置１Ａでは、植物Ｐ１・Ｐ２・Ｐ３・Ｐ４・Ｐ５・Ｐ６が栽培されている。植物Ｐ１〜Ｐ６としては、例えば、レタス等の葉菜類やいちご等を挙げることができる。
【００５０】
１段目の栽培室８ａ・９ａには、順に並ぶ植物Ｐ１・Ｐ２・Ｐ３が配されている。植物Ｐ１は、４つの車輪（移動部）ＷＨを有するプランター（栽培部）ＰＬに配されることで栽培されている。明期には、植物Ｐ１は、明期棚２１ａに配される。一方、暗期には、植物Ｐ１は暗期棚１１ａに配される。植物Ｐ１が栽培されているプランターＰＬは４つの車輪ＷＨを有することで、植物Ｐ１は明期棚２１ａと暗期棚１１ａとの間を移動可能となっている。
【００５１】
植物Ｐ２は、４つの車輪ＷＨを有するプランターＰＬに配されることで栽培されている。明期には、植物Ｐ２は、明期棚２１ａに配される。一方、暗期には、植物Ｐ２は暗期棚１２ａに配される。植物Ｐ２が栽培されているプランターＰＬは４つの車輪ＷＨを有することで、植物Ｐ２は明期棚２１ａと暗期棚１２ａとの間を移動可能となっている。
【００５２】
植物Ｐ３は、４つの車輪ＷＨを有するプランターＰＬに配されることで栽培されている。明期には、植物Ｐ３は、明期棚２１ａに配される。一方、暗期には、植物Ｐ３は暗期棚１３ａに配される。植物Ｐ３が栽培されているプランターＰＬは４つの車輪ＷＨを有することで、植物Ｐ３は明期棚２１ａと暗期棚１３ａとの間を移動可能となっている。
【００５３】
２段目の栽培室８ｂ・９ｂには、順に並ぶ植物Ｐ４・Ｐ５・Ｐ６が配されている。植物Ｐ４は、４つの車輪ＷＨを有するプランターＰＬに配されることで栽培されている。明期には、植物Ｐ４は、明期棚２１ｂに配される。一方、暗期には、植物Ｐ４は暗期棚１１ｂに配される。植物Ｐ４が栽培されているプランターＰＬは４つの車輪ＷＨを有することで、植物Ｐ４は明期棚２１ｂと暗期棚１１ｂとの間を移動可能となっている。
【００５４】
植物Ｐ５は、４つの車輪ＷＨを有するプランターＰＬに配されることで栽培されている。明期には、植物Ｐ５は、明期棚２１ｂに配される。一方、暗期には、植物Ｐ５は暗期棚１２ｂに配される。植物Ｐ５が栽培されているプランターＰＬは４つの車輪ＷＨを有することで、植物Ｐ５は明期棚２１ｂと暗期棚１２ｂとの間を移動可能となっている。
【００５５】
植物Ｐ６は、４つの車輪ＷＨを有するプランターＰＬに配されることで栽培されている。明期には、植物Ｐ６は、明期棚２１ｂに配される。一方、暗期には、植物Ｐ６は暗期棚１３ｂに配される。植物Ｐ６が栽培されているプランターＰＬは４つの車輪ＷＨを有することで、植物Ｐ６は明期棚２１ｂと暗期棚１３ｂとの間を移動可能となっている。
【００５６】
なお、各プランターＰＬに移動部として車輪ＷＨを設けることで、各プランターＰＬを移動可能としているが、しかし、このプランターＰＬを移動可能とするためにプランターＰＬに設ける移動部は車輪ＷＨ以外に、キャタピラを設けたり、磁石を設けてプランターを浮かせて移動させてもよい。なお、プランターに特に何も設けず、そのまま引きずって移動させるだけでもよい。
【００５７】
図２に示す横方向の矢印が、植物Ｐ１〜Ｐ６の移動方向である。この植物Ｐ１〜Ｐ６の明期棚２１ａ・２１ｂと、暗期棚１１ａ〜１３ａ・１１ｂ〜１３ｂとの間の移動は、作業者によって行われる。
【００５８】
図２では、植物Ｐ２が明期であり、植物Ｐ１・Ｐ３が暗期である場合を表している。植物Ｐ２は明期棚２１ａに配されており、植物Ｐ１・Ｐ３はそれぞれ暗期棚１１ａ・１３ａに配されている。そして、例えば半日等、所定期間経過すると、植物Ｐ２は暗期棚１２ａへ移動される。一方、植物Ｐ１・Ｐ３は、それぞれ明期棚２１ａへ移動される。
【００５９】
植物Ｐ１〜Ｐ６が配されている各プランターＰＬにはそれぞれ４つの車輪ＷＨが配されているため、作業者は容易に植物Ｐ１〜Ｐ６を移動させることができる。これにより、植物Ｐ１〜Ｐ６の明期と暗期とを入れ替えることができる。このように、栽培装置１Ａによると、栽培している植物の明期と暗期との入れ替えが容易なので、作業効率がよい。
【００６０】
植物Ｐ１〜Ｐ３の明期と暗期とを入れ替えるには、図２に示すように、植物Ｐ２が明期棚２１ａに配されており、植物Ｐ１・Ｐ３がそれぞれ暗期棚１１ａ・１３ａに配されているとすると、まず、真ん中の植物Ｐ２を暗期棚１２ａに移動させる。次に、植物Ｐ１・Ｐ３を暗期棚１１ａ・１３ａから明期棚２１ａへ移動させる。これにより、植物Ｐ１〜Ｐ３の明期と暗期との入れ替えが完了する。
【００６１】
このように、栽培装置１Ａによると、照明部７を移動せず固定したまま、植物側を移動させることが可能であるため、特許文献１において照明器具を移動させる場合と異なり、照明部７に接続された配線がからむ問題は生じない。これにより、作業効率の低下を防止することができる。
【００６２】
照明部７は、天板６ａ・６ｂのうち明期部８である一部領域にだけ配されているため、天板６ａ・６ｂ全面に配される場合と比べて、照明部７の設置面積を約半部程度にすることができる。また、照明部７は常に点灯させておくことになるため、遊休期間の発生を防止することができ、照明部７の稼働率が下がることを防止することができる。
【００６３】
さらに、栽培装置１Ａによると、照明部７は、栽培室８ａ・８ｂの天板６ａ・６ｂに固定されており、植物Ｐ１〜Ｐ６が配されている各プランターＰＬを栽培室８ａ・８ｂと、栽培室９ａ・９ｂとの間を移動させることで、植物Ｐ１〜Ｐ６の明期・暗期の入れ替えを行うことができる。このため、特許文献１のように照明器具を移動させる場合とは異なり、栽培装置１Ａによると、明期に使用される栽培室８ａ・８ｂと、暗期に使用される栽培室９ａ・９ｂとは固定されており、明期及び暗期それぞれの期間に配される植物の位置は変わらないため、栽培室８ａ・８ｂ・９ａ・９ｂを定温維持させるだけでよい。
【００６４】
なお、一例として、一季で実がなるいちごを栽培する場合、明期用の栽培室８ａ・８ｂは２０℃前後、暗期用の栽培室９ａ・９ｂは１０℃前後に維持する。
【００６５】
このように栽培装置１Ａによると、明期と暗期との入れ替えに伴う栽培室８ａ・８ｂ・９ａ・９ｂの温度変化が不要である。これにより、栽培装置１Ａによると、特許文献１の構成とは異なり、空調に要する費用の増加を防止することができる。
【００６６】
ここで、明期用の栽培室８ａ・８ｂと、暗期用の栽培室９ａ・９ｂとの間には、ビニールシート、発泡スチロール、もしくはその他断熱部材を配置することで、それぞれを断熱する。これにより、栽培室８ａ・８ｂ・９ａ・９ｂを定温維持させることができる。
【００６７】
また、一例として、明期棚、及び暗期棚は、当該断熱部材によって仕切られた２つの部屋（明期用の栽培室８ａ・８ｂと、暗期用の栽培室９ａ・９ｂ）の間に配置されている。具体的には、明期用の栽培室８ａ・８ｂと、暗期用の栽培室９ａ・９ｂとの境界部分である仕切りに明期棚と暗期棚との境界を合わせ、各段の間をすだれ状のビニールシートによって仕切る構成や、明暗期棚間の栽培室を移動させた後に各棚に発泡スチロールもしくはその他断熱材の間仕切りを手動または自動で挿入する構成であってもよい。
【００６８】
（植物と、明期棚及び暗期棚との配置）
次に、主に図２を用いて、栽培している植物と、明期棚及び暗期棚との配置について説明する。なお、以下では、１段目に配されている植物Ｐ１〜Ｐ３と、明期棚２１ａ及び暗期棚１１ａ〜１３ａとの配置について説明するが、２段目の植物Ｐ４〜Ｐ６と、明期棚２１ｂ及び暗期棚１１ｂ〜１３ｂとの配置についても同様である。図２において、移動方向と示す矢印と直交する方向の矢印を幅方向としている。
【００６９】
暗期棚１１ａ・１２ａ・１３ａそれぞれの長手方向と直交する短手方向の幅Ｗ１・Ｗ２・Ｗ３は、プランターＰＬのそれぞれの長手方向と直交する短手方向の幅と同じ程度が好ましい。これにより、植物Ｐ１〜Ｐ３間の距離を詰め、密植することで、床面積に対する栽培面積の効率を向上させることができる。
【００７０】
植物Ｐ１〜Ｐ３は、成長に伴い、葉・花托・実等がプランターＰＬからはみ出す。すなわち、植物Ｐ１〜Ｐ３の幅方向の距離を幅ＷＰ１・ＷＰ２・ＷＰ３とすると、それぞれ、暗期棚１１ａ・１２ａ・１３ａそれぞれの幅Ｗ１・Ｗ２・Ｗ３よりも大きくなる。
【００７１】
このため、例えば、幅方向において、隣接するプランターＰＬ同士が接触する程度に各プランターＰＬを配すると、明期と暗期との入れ替えに伴う植物Ｐ１〜Ｐ３の移動の際、隣接する植物Ｐ１〜Ｐ３同士が接触し傷をつけることになる。
【００７２】
そこで、植物Ｐ１〜３のうち隣接する植物間の幅方向の距離を、ある程度確保する必要がある。
【００７３】
栽培装置１Ａでは、暗期棚１１ａと暗期棚１３ａとの幅方向の距離を幅Ｗ１３とすると、幅Ｗ１３は、真中の植物Ｐ２の幅ＷＰ２以上であることが好ましい。これにより、真中の植物Ｐ２と、暗期棚１１ａ及び暗期棚１３ａとの接触を防止することができる。このため、植物Ｐ２が傷つくことを防止することができる。
【００７４】
栽培装置１Ａでは、さらに、幅Ｗ１３は、幅ＷＰ２よりも大きいことがより好ましい。これによると、真中の植物Ｐ２と、暗期棚１１ａ及び暗期棚１３ａとの接触を防止することができる。このため、植物Ｐ２が傷つくことを防止することができる。
【００７５】
さらには、植物Ｐ１と、植物Ｐ３との幅方向の距離は、植物Ｐ２の幅ＷＰ２以上であることがより好ましい。これにより、明期及び暗期の入れ替えに伴う植物Ｐ１・Ｐ２間の接触及び植物Ｐ２・Ｐ３間の接触を確実に防止することができる。
【００７６】
また、栽培装置１Ａでは、暗期棚１１ａ、暗期棚１２ａ、及び暗期棚１３ａは、互いに離間していることが好ましい。これにより、密度を高く植物Ｐ１〜Ｐ３を栽培しつつ、明期・暗期入れ替えに伴い植物が傷つくことを防止することができる。
【００７７】
〔実施形態２〕
本発明の実施形態２について、図３〜図５に基づいて説明すれば、以下のとおりである。なお、説明の便宜上、実施形態１にて説明した部材と同じ機能を有する部材については、同じ符号を付記し、その説明を省略する。
【００７８】
図３の（ａ）は実施形態２に係る栽培装置１Ｂの正面図であり、図３の（ｂ）は図３の（ａ）に示す栽培装置１Ｂの側面図である。図４は、図３に示す栽培装置１Ｂの１段目の棚の平面図である。
【００７９】
栽培装置１Ｂは、各段の暗期棚のうち真中の暗期棚のみが傾斜している点で、実施形態１で説明した栽培装置１Ａと相違する。
【００８０】
栽培装置１Ｂは、栽培装置１Ａの暗期棚１１ａ・１２ａ・１３ａ・１１ｂ・１２ｂ・１３ｂに換えて、暗期棚４１ａ・４２ａ・４３ａ・４１ｂ・４２ｂ・４３ｂを有する。栽培装置１Ｂの他の構成は栽培装置１Ａと同様である。暗期棚４１ａ・４２ａ・４３ａ・４１ｂ・４２ｂ・４３ｂは板状の部材である。
【００８１】
暗期には、暗期棚（第１暗期棚）４１ａに植物Ｐ１が配され、暗期棚（第２暗期棚）４２ａに植物Ｐ２が配され、暗期棚（第３暗期棚）４３ａに植物Ｐ３が配され、暗期棚（第１暗期棚）４１ｂに植物Ｐ４が配され、暗期棚（第２暗期棚）４２ｂに植物Ｐ５が配され、暗期棚（第３暗期棚）４３ｂに植物Ｐ６が配される。
【００８２】
両側の暗期棚４１ａ・４３ａは、明期棚２１ａと平行に、明期棚２１ａと接続されている。暗期棚４１ａ・４３ａに挟まれた真中の暗期棚４２ａは、明期棚２１ａに対し傾斜し、明期棚２１ａと接続されている。
【００８３】
暗期棚４１ａは一対の第１端部４１ａ１及び第２端部４１ａ２を有する。第１端部４１ａ１及び第２端部４１ａ２のうち、第１端部４１ａ１は、明期棚２１ａに近い側の端部であり、明期棚２１ａの一側面と接続されている。第１端部４１ａ１及び第２端部４１ａ２のうち、第２端部４１ａ２は、明期棚２１ａから遠い側の端部である。
【００８４】
暗期棚４１ａは水平となるよう明期棚２１ａと平行に配されている。換言すると、暗期棚４１ａは、明期棚２１ａに近い側の第１端部４１ａ１と、遠い側の第２端部４１ａ２とが同じ高さとなっている。
【００８５】
暗期棚４２ａは一対の第１端部４２ａ１及び第２端部４２ａ２を有する。第１端部４２ａ１及び第２端部４２ａ２のうち、第１端部４２ａ１は、明期棚２１ａに近い側の端部であり、明期棚２１ａの一側面と接続されている。第１端部４２ａ１及び第２端部４２ａ２のうち、第２端部４２ａ２は、明期棚２１ａから遠い側の端部である。
【００８６】
中央の暗期棚４２ａは、第１端部４２ａ１から第２端部４２ａ２にかけて上昇するように傾斜して配されている。換言すると、暗期棚４２ａは、明期棚２１ａに近い側の第１端部４２ａ１よりも遠い側の第２端部４２ａ２の方が鉛直方向上方となるように傾斜している。
【００８７】
暗期棚４３ａは一対の第１端部４３ａ１及び第２端部４３ａ２を有する。第１端部４３ａ１及び第２端部４３ａ２のうち、第１端部４３ａ１は、明期棚２１ａに近い側の端部であり、明期棚２１ａの一側面と接続されている。第１端部４３ａ１及び第２端部４３ａ２のうち、第２端部４３ａ２は、明期棚２１ａから遠い側の端部である。
【００８８】
暗期棚４３ａは第１端部４３ａ１から第２端部４３ａ２にかけて上昇するように傾斜して配されている。換言すると、暗期棚４３ａは、明期棚２１ａに近い側の第１端部４３ａ１よりも遠い側の第２端部４３ａ２の方が鉛直方向上方となるように傾斜している。
【００８９】
両側の暗期棚４１ｂ・４３ｂは、明期棚２１ｂと平行に、明期棚２１ｂと接続されている。暗期棚４１ｂ・４３ｂに挟まれた真中の暗期棚４２ｂは、明期棚２１ｂに対し傾斜し、明期棚２１ｂと接続されている。
【００９０】
暗期棚４１ｂは一対の第１端部４１ｂ１及び第２端部４１ｂ２を有する。第１端部４１ｂ１及び第２端部４１ｂ２のうち、第１端部４１ｂ１は、明期棚２１ｂに近い側の端部であり、明期棚２１ｂの一側面と接続されている。第１端部４１ｂ１及び第２端部４１ｂ２のうち、第２端部４１ｂ２は、明期棚２１ｂから遠い側の端部である。
【００９１】
暗期棚４１ｂは水平となるよう明期棚２１ｂと平行に配されている。換言すると、暗期棚４１ｂは、明期棚２１ｂに近い側の第１端部４１ｂ１と、遠い側の第２端部４１ｂ２とが同じ高さとなっている。
【００９２】
暗期棚４２ｂは一対の第１端部４２ｂ１及び第２端部４２ｂ２を有する。第１端部４２ｂ１及び第２端部４２ｂ２のうち、第１端部４２ｂ１は、明期棚２１ｂに近い側の端部であり、明期棚２１ｂの一側面と接続されている。第１端部４２ｂ１及び第２端部４２ｂ２のうち、第２端部４２ｂ２は、明期棚２１ｂから遠い側の端部である。
【００９３】
中央の暗期棚４２ｂは、第１端部４２ｂ１から第２端部４２ｂ２にかけて上昇するように傾斜して配されている。換言すると、暗期棚４２ｂは、明期棚２１ｂに近い側の第１端部４２ｂ１よりも遠い側の第２端部４２ｂ２の方が鉛直方向上方となるように傾斜している。
【００９４】
暗期棚４３ｂは一対の第１端部４３ｂ１及び第２端部４３ｂ２を有する。第１端部４３ｂ１及び第２端部４３ｂ２のうち、第１端部４３ｂ１は、明期棚２１ｂに近い側の端部であり、明期棚２１ｂの一側面と接続されている。第１端部４３ｂ１及び第２端部４３ｂ２のうち、第２端部４３ｂ２は、明期棚２１ｂから遠い側の端部である。
【００９５】
暗期棚４３ｂは第１端部４３ｂ１から第２端部４３ｂ２にかけて上昇するように傾斜して配されている。換言すると、暗期棚４３ｂは、明期棚２１ｂに近い側の第１端部４３ｂ１よりも遠い側の第２端部４３ｂ２の方が鉛直方向上方となるように傾斜している。
【００９６】
このように、栽培装置１Ｂでは、互いにそれぞれ隣接する暗期棚４１ａ・４１ｂと、暗期棚４２ａ・４２ｂとは非平行である。すなわち、暗期棚４１ａ・４１ｂと、暗期棚４２ａ・４２ｂとで、明期棚２１ａに対する傾斜角度が異なっている。これにより、密植したとしても、暗期棚４１ａ・４１ｂに配される植物Ｐ１・Ｐ４と、暗期棚４２ａ・４２ｂに配される植物Ｐ２・Ｐ５との接触を抑制することができる。このため、効率よく、かつ、傷が付くことを抑制して植物を栽培することができる。
【００９７】
さらに、栽培装置１Ｂでは、暗期棚４２ａ・４２ｂに隣接する暗期棚４３ａ・４３ｂも、当該暗期棚４２ａ・４２ｂと非平行となっている。すなわち、暗期棚４２ａ・４２ｂと、暗期棚４３ａ・４３ｂとで、明期棚２１ａに対する傾斜角度が異なっている。これにより、暗期棚４２ａ・４２ｂに配される植物Ｐ２・Ｐ５と、暗期棚４３ａ・４３ｂに配される植物Ｐ３・Ｐ６との接触を抑制することができる。このため、さらに効率よく、かつ傷が付くことを抑制して植物を栽培することができる。
【００９８】
このように、栽培装置１Ｂでは、真中の暗期棚４２ａと、当該暗期棚４２ａに隣接する暗期棚４１ａ及び暗期棚４３ａとが非平行である。
【００９９】
このため、暗期棚４１ａと暗期棚４３ａと幅方向の距離である幅Ｗ２３を、栽培装置１Ａのように暗期棚１１ａ〜１３ａが平行である場合における暗期棚１１ａ・暗期棚１３ａ間の幅Ｗ１３よりも小さくしたとしても、植物Ｐ２と、植物Ｐ１・Ｐ３との接触を抑制することができる。このため、栽培する植物の密度を向上させることで、効率よく、かつ、植物同士の接触を防止することができる。なお、本実施形態では、暗期棚４２ａと暗期棚４１ａ及び暗期棚４３ａとが高さ方向に非平行となっている。しかし、必ずしもこれに限らず、暗期棚４２ａと暗期棚４１ａ及び暗期棚４３ａとが水平方向に放射状に非平行とすることも可能である。これによっても、植物同士の接触を防止することができる。
【０１００】
プランターの明期と暗期とを転換するには、まず、明期棚に配されている全てのプランターを、一旦、暗期棚にしまう。その後、暗期棚から明期棚へ転換するプランターを明期棚へ移動する。これは、隣接するプランター同士の間隔が狭く、明期棚エリアにおいてすれ違えないためである。
【０１０１】
具体的には、植物Ｐ１〜Ｐ３の明期と暗期とを入れ替える場合、図４に示すように、植物Ｐ２が明期棚２１ａに配されており、植物Ｐ１・Ｐ３がそれぞれ暗期棚４１ａ・４３ａに配されているとすると、まず、真ん中の植物Ｐ２を暗期棚４２ａに移動させる。
【０１０２】
暗期棚４１ａ・４３ａが水平に配されているため、暗期棚４１ａ・４３ａそれぞれに配されているプランターＰＬも水平に配されている。一方、明期棚２１ａから暗期棚４２ａへ移動される植物Ｐ２が配されたプランターＰＬは暗期棚４２ａの傾斜に沿って、短辺である両端部のうち、進行方向前方の端部が、後方の端部よりも鉛直方向上方に位置するように移動する。そして、植物Ｐ２が配されたプランターＰＬの暗期棚４２ａへの移動が完了すると、植物Ｐ２が配されたプランターＰＬは、暗期棚４２ａの傾斜に沿って、短辺である両端部のうち、暗期棚４２ａの第１端部４１ａ１に近い側の端部から、第２端部４２ａ２に近い側の端部にかけて上昇するように傾斜して暗期棚４２ａに配される。
【０１０３】
このように、暗期棚４１ａ・４３ａに配されたプランターＰＬと、暗期棚４２ａに配されたプランターＰＬとは非平行であるため、平行に配された場合と比べて、対向する面積が小さい。このため、植物Ｐ２と、植物Ｐ１・Ｐ３との接触を抑制することができる。
【０１０４】
次に、植物Ｐ１・Ｐ３が配されたプランターＰＬそれぞれを暗期棚４１ａ・４３ａから明期棚２１ａへ移動させる。これにより、植物Ｐ１〜Ｐ３の明期と暗期との入れ替えが完了する。
【０１０５】
なお、本発明の実施形態２に係る栽培装置１Ｂは、平面視において順に並ぶ暗期棚４１ａ〜４３ａのうち真中の暗期棚４２ａのみが傾斜し、当該暗期棚４２ａと隣接する暗期棚４１ａ・４３ａは水平であるものとして説明した。しかし、栽培装置１Ｂの暗期棚の配置はこれに限らず、例えば、図５の（ａ）（ｂ）に示すように、平面視において順に並ぶ暗期棚４１ａ〜４３ａのうち、真中の暗期棚４２ａのみ水平であり、暗期棚４１ａは、明期棚２１ａと近い側の端部である第１端部４１ａ１よりも遠い側の端部である第２端部４１ａ２の方が鉛直方向上方となるように傾斜しており、暗期棚４３ａは、明期棚２１ａと近い側の端部である第１端部４３ａ１よりも遠い側の端部である第２端部４３ａ２の方が鉛直方向下方となるように傾斜した栽培装置１Ｃとすることが可能である。上記構成によっても、複数の暗期棚４１ａ〜４３ａのうち、互いに隣接して配された暗期棚間での植物の接触を抑制することができる。
【０１０６】
〔実施形態３〕
本発明の実施形態３について、図６及び図７に基づいて説明すれば、以下のとおりである。なお、説明の便宜上、実施形態１・２にて説明した部材と同じ機能を有する部材については、同じ符号を付記し、その説明を省略する。
【０１０７】
図６の（ａ）は実施形態３に係る栽培装置１Ｄの正面図であり、図６の（ｂ）は図６の（ａ）に示す栽培装置１Ｄの側面図である。図７は、図６の（ａ）（ｂ）に示す栽培装置１Ｄの１段目の棚の平面図である。
【０１０８】
栽培装置１Ｄは、各暗期棚が傾斜している点で、実施形態１・２で説明した栽培装置１Ａ・１Ｂと相違する。
【０１０９】
栽培装置１Ｄは、栽培装置１Ａの暗期棚１１ａ・１２ａ・１３ａ・１１ｂ・１２ｂ・１３ｂに換えて、暗期棚３１ａ・３２ａ・３３ａ・３１ｂ・３２ｂ・３３ｂを有する。栽培装置１Ｄの他の構成は栽培装置１Ａと同様である。暗期棚３１ａ・３２ａ・３３ａ・３１ｂ・３２ｂ・３３ｂは板状の部材である。
【０１１０】
暗期には、暗期棚（第１暗期棚）３１ａに植物Ｐ１が配され、暗期棚（第２暗期棚）３２ａに植物Ｐ２が配され、暗期棚（第３暗期棚）３３ａに植物Ｐ３が配され、暗期棚（第１暗期棚）３１ｂに植物Ｐ４が配され、暗期棚（第２暗期棚）３２ｂに植物Ｐ５が配され、暗期棚（第３暗期棚）３３ｂに植物Ｐ６が配される。
【０１１１】
暗期棚３１ａ・３２ａ・３３ａは、明期棚２１ａに対し傾斜し、明期棚２１ａと接続されている。
【０１１２】
暗期棚３１ａは一対の第１端部３１ａ１及び第２端部３１ａ２を有する。第１端部３１ａ１及び第２端部３１ａ２のうち、第１端部３１ａ１は、明期棚３１ａに近い側の端部であり、明期棚２１ａの一側面と接続されている。第１端部３１ａ１及び第２端部３１ａ２のうち、第２端部３１ａ２は、明期棚２１ａから遠い側の端部である。
【０１１３】
暗期棚３１ａは第１端部３１ａ１から第２端部３１ａ２にかけて上昇するように傾斜して配されている。換言すると、暗期棚３１ａは、明期棚２１ａに近い側の第１端部３１ａ１よりも遠い側の第２端部３１ａ２の方が鉛直方向上方となるように傾斜している。
【０１１４】
暗期棚３２ａは一対の第１端部３２ａ１及び第２端部３２ａ２を有する。第１端部３２ａ１及び第２端部３２ａ２のうち、第１端部３２ａ１は、明期棚２１ａに近い側の端部であり、明期棚２１ａの一側面と接続されている。第１端部３２ａ１及び第２端部３２ａ２のうち、第２端部３２ａ２は、明期棚２１ａから遠い側の端部である。
【０１１５】
中央の暗期棚３２ａは、第１端部３２ａ１から第２端部３２ａ２にかけて下降するように傾斜して配されている。換言すると、暗期棚３１ａは、明期棚２１ａに近い側の第１端部３１ａ１よりも遠い側の第２端部３１ａ２の方が鉛直方向下方となるように傾斜している。
【０１１６】
暗期棚３３ａは一対の第１端部３３ａ１及び第２端部３３ａ２を有する。第１端部３３ａ１及び第２端部３３ａ２のうち、第１端部３３ａ１は、明期棚２１ａに近い側の端部であり、明期棚２１ａの一側面と接続されている。第１端部３３ａ１及び第２端部３３ａ２のうち、第２端部３３ａ２は、明期棚２１ａから遠い側の端部である。
【０１１７】
暗期棚３３ａは第１端部３３ａ１から第２端部３３ａ２にかけて上昇するように傾斜して配されている。換言すると、暗期棚３３ａは、明期棚２１ａに近い側の第１端部３３ａ１よりも遠い側の第２端部３３ａ２の方が鉛直方向上方となるように傾斜している。
【０１１８】
暗期棚３１ｂ・３２ｂ・３３ｂは、明期棚２１ａに対し傾斜し、明期棚２１ａと接続されている。
【０１１９】
暗期棚３１ｂは一対の第１端部３１ｂ１及び第２端部３１ｂ２を有する。第１端部３１ｂ１及び第２端部３１ｂ２のうち、第１端部３１ｂ１は、明期棚２１ｂに近い側の端部であり、明期棚２１ｂの一側面と接続されている。第１端部３１ｂ１及び第２端部３１ｂ２のうち、第２端部３１ｂ２は、明期棚２１ｂから遠い側の端部である。
【０１２０】
暗期棚３１ｂは第１端部３１ｂ１から第２端部３１ｂ２にかけて上昇するように傾斜して配されている。換言すると、暗期棚３１ｂは、明期棚２１ｂに近い側の第１端部３１ｂ１よりも遠い側の第２端部３１ｂ２の方が鉛直方向上方となるように傾斜している。
【０１２１】
暗期棚３２ｂは一対の第１端部３２ｂ１及び第２端部３２ｂ２を有する。第１端部３２ｂ１及び第２端部３２ｂ２のうち、第１端部３２ｂ１は、明期棚２１ｂに近い側の端部であり、明期棚２１ｂの一側面と接続されている。第１端部３２ｂ１及び第２端部３２ｂ２のうち、第２端部３２ｂ２は、明期棚２１ｂから遠い側の端部である。
【０１２２】
中央の暗期棚３２ｂは、第１端部３２ｂ１から第２端部３２ｂ２にかけて下降するように傾斜して配されている。換言すると、暗期棚３１ｂは、明期棚２１ｂに近い側の第１端部３１ｂ１よりも遠い側の第２端部３１ｂ２の方が鉛直方向下方となるように傾斜している。
【０１２３】
暗期棚３３ｂは一対の第１端部３３ｂ１及び第２端部３３ｂ２を有する。第１端部３３ｂ１及び第２端部３３ｂ２のうち、第１端部３３ｂ１は、明期棚２１ｂに近い側の端部であり、明期棚２１ｂの一側面と接続されている。第１端部３３ｂ１及び第２端部３３ｂ２のうち、第２端部３３ｂ２は、明期棚２１ｂから遠い側の端部である。
【０１２４】
暗期棚３３ｂは第１端部３３ｂ１から第２端部３３ｂ２にかけて上昇するように傾斜して配されている。換言すると、暗期棚３３ｂは、明期棚２１ｂに近い側の第１端部３３ｂ１よりも遠い側の第２端部３３ｂ２の方が鉛直方向上方となるように傾斜している。
【０１２５】
ここで、プランターの明期と暗期とを転換するには、まず、明期棚に配されている全てのプランターを、一旦、暗期棚にしまう。その後、暗期棚から明期棚へ転換するプランターを明期棚へ移動する。これは、隣接するプランター同士の間隔が狭く、明期棚エリアにおいてすれ違えないためである。
【０１２６】
具体的には、植物Ｐ１〜Ｐ３の明期と暗期とを入れ替えるには、図６に示すように、植物Ｐ２が明期棚２１ａに配されており、植物Ｐ１・Ｐ３がそれぞれ暗期棚３１ａ・３３ａに配されているとすると、まず、真ん中の植物Ｐ２を暗期棚３２ａに移動させる。
【０１２７】
このとき、暗期棚３１ａ・３３ａそれぞれに配されているプランターＰＬは、短辺である両端部のうち、暗期棚３１ａ・３３ａそれぞれの第１端部３１ａ１・３３ａ１に近い側の端部から、第２端部３１ａ２・３３ａ２に近い側の端部にかけて上昇するように傾斜している。
【０１２８】
一方、明期棚２１ａから暗期棚３２ａへ移動される植物Ｐ２が配されたプランターＰＬは暗期棚３２ａの傾斜に沿って、短辺である両端部のうち、進行方向前方の端部が、後方の端部よりも鉛直方向下方に位置するように移動する。そして、植物Ｐ２が配されたプランターＰＬの暗期棚３２ａへの移動が完了すると、植物Ｐ２が配されたプランターＰＬは、暗期棚３２ａの傾斜に沿って、短辺である両端部のうち、暗期棚３２ａの第１端部３１ａ１に近い側の端部から、第２端部３２ａ２に近い側の端部にかけて下降するように傾斜して暗期棚３２ａに配される。
【０１２９】
このように、暗期棚３１ａ・３３ａに配されたプランターＰＬと、暗期棚３２ａに配されたプランターＰＬとは非平行であるため、平行に配された場合と比べて、対向する面積が小さい。このため、植物Ｐ２と、植物Ｐ１・Ｐ３との接触を抑制することができる。
【０１３０】
次に、植物Ｐ１・Ｐ３が配されたプランターＰＬそれぞれを暗期棚３１ａ・３３ａから明期棚２１ａへ移動させる。これにより、植物Ｐ１〜Ｐ３の明期と暗期との入れ替えが完了する。
【０１３１】
このように、栽培装置１Ｄでは、互いにそれぞれ隣接する暗期棚３１ａ・３１ｂと、暗期棚３２ａ・３２ｂとは非平行である。すなわち、暗期棚３１ａ・３１ｂと、暗期棚３２ａ・３２ｂとで、明期棚２１ａに対する傾斜角度が異なっている。これにより、暗期棚３１ａ・３１ｂに配された植物Ｐ１・Ｐ４と、暗期棚３２ａ・３２ｂに配された植物Ｐ２・Ｐ５とを空間的に上下に位置するよう配することができる。
【０１３２】
このため、密植したとしても、暗期棚３１ａ・３１ｂに配される植物Ｐ１・Ｐ４と、暗期棚３２ａ・３２ｂに配される植物Ｐ２・Ｐ５との接触を抑制することができる。このため、効率よく、かつ、傷が付くことを抑制して植物を栽培することができる。
【０１３３】
さらに、栽培装置１Ｄでは、暗期棚３２ａ・３２ｂと隣接する暗期棚３３ａ・３３ｂも、暗期棚３２ａ・３２ｂと非平行となっている。すなわち、暗期棚３２ａ・３２ｂと、暗期棚３３ａ・３３ｂとで、明期棚２１ａに対する傾斜角度が異なっている。これにより、暗期棚３２ａ・３２ｂに配された植物Ｐ２・Ｐ５と、暗期棚３３ａ・３３ｂに配された植物Ｐ３・Ｐ６とを空間的に上下に位置するよう配することができる。
【０１３４】
このため、暗期棚３２ａ・３２ｂに配される植物Ｐ２・Ｐ５と、暗期棚３３ａ・３３ｂに配される植物Ｐ３・Ｐ６との接触を抑制することができる。このため、さらに効率よく、かつ傷が付くことを抑制して植物を栽培することができる。
【０１３５】
このように、栽培装置１Ｄでは、真中の暗期棚３２ａと、当該暗期棚３２ａに隣接する暗期棚３１ａ及び暗期棚３３ａとが非平行である。
【０１３６】
このため、暗期棚３１ａと暗期棚３３ａと幅方向の距離である幅Ｗ２３を、栽培装置１Ａのように暗期棚１１ａ〜１３ａが平行である場合における暗期棚１１ａ・暗期棚１３ａ間の幅Ｗ１３よりも小さくしたとしても、植物Ｐ２と、植物Ｐ１・Ｐ３との接触を抑制することができる。このため、栽培する植物の密度を向上させることで、効率よく、かつ、植物同士の接触を防止することができる。
【０１３７】
図６の（ａ）に示すように栽培装置１Ｄを正面から見た場合、植物Ｐ１〜Ｐ３それぞれが配されているプランターＰＬ同士の隙間がほぼ無くなる程度に密植させることができる。なおかつ、栽培装置１Ｄによると、明暗期の転換時に植物Ｐ１〜Ｐ３の接触を抑制し、効率よく明暗期の転換をすることができる。なお、２段目の棚についても同様である。
【０１３８】
また、本実施形態では、順に並ぶ暗期棚の個数は３個であるものとして説明したが、暗期棚の個数は３個に限定されず、４個以上であってもよい。
【０１３９】
このように、栽培装置１Ｄは、順に並ぶ暗期棚３１ａ・３２ａ・３３ａ（暗期棚３１ｂ・３２ｂ・３３ｂ）を含む複数の暗期棚を有する場合、順に並んで配された複数の暗期棚は、互いに隣接する暗期棚同士が非平行であればよい。これにより、複数の暗期棚のうち、互いに隣接して配された暗期棚間での植物の接触を抑制することができる。このため、効率よく、かつ傷が付くことを抑制して植物を栽培することができる。
【０１４０】
また、隣接する暗期棚がなす角度が大きいほど空間的に余裕ができる。すなわち、隣接する暗期棚のなす角度が大きい程、隣接する暗期棚に配されたプランター同士が対向する面積を小さくすることができる。これにより、植物の接触を抑制することができる。
【０１４１】
しかし、水平面に対する暗期棚の傾斜角度が大きい程、プランターＰＬの明期棚及び暗期棚間の移動が困難となる。
【０１４２】
そこで、実施形態３で説明した栽培装置１Ｄによると、互いに隣接する暗期棚の両方が水平面に対して傾斜している。すなわち、栽培装置１Ｄによると、互いに隣接する暗期棚のうち一方の暗期棚は、明期棚に近い側の第１端部よりも遠い側の第２端部の方が鉛直方向上方となるように傾斜している。そして、互いに隣接する暗期棚のうち他方の暗期棚は、明期棚に近い側の第１端部よりも遠い側の第２端部の方が鉛直方向下方となるように傾斜している。
【０１４３】
このため、実施形態３で説明した栽培装置１Ｄによると、互いに隣接する暗期棚のなす角度を、実施形態２で説明した栽培装置１Ｂと同程度確保しつつ、かつ、互いに隣接する暗期棚の水平面に対する傾斜角を、実施形態２で説明した栽培装置１Ｂの場合と比べて小さくすることができる。このため、栽培装置１Ｂによると、プランターＰＬの明期棚・暗期棚間の移動に要する力が少なくて済み、この結果、プランターＰＬを移動させやすい。
【０１４４】
〔実施形態４〕
本発明の実施形態４について、図８及び図９に基づいて説明すれば、以下のとおりである。なお、説明の便宜上、実施形態１〜３にて説明した部材と同じ機能を有する部材については、同じ符号を付記し、その説明を省略する。
【０１４５】
本実施の形態の栽培装置２Ａは、図８の（ａ）（ｂ）に示すように、前記実施形態１の栽培装置１Ａの構成に加えて、明期部８と暗期部９との境界に遮光部材としての間仕切り部材５０が設けられている点が異なっている。
【０１４６】
本実施形態の栽培装置２Ａの構成について、図８の（ａ）（ｂ）及び図９に基づいて説明する。図８の（ａ）は本実施形態における栽培装置２Ａの構成を示す正面図である。図８の（ｂ）は上記栽培装置２Ａの構成を示す側面図である。図９は、上記栽培装置２Ａにおける上側の１段目を背面から見たときの透視図である。
【０１４７】
本実施形態の栽培装置２Ａは、図８の（ａ）（ｂ）に示すように、明期部８と暗期部９とが互いに隣接して設けられている。そして、明期部８と暗期部９との境界には、明期部８と暗期部９との間を遮光する遮光部材としての間仕切り部材５０が設けられている。
【０１４８】
この間仕切り部材５０は、遮光性を有する不透明な例えば可撓性を有するシート、可撓性のない板状体、又は直方体からなっている。材質は、シート及び板状体としてはビール等の樹脂、厚紙若しくはダンボール等の紙、布、又は鉄板やアルミ板等の金属若しくは陶器等の無機材料を適宜選択することができる。直方体としては、発泡スチロール等の断熱材を使用することができる。これにより、栽培室８ａ・８ｂ・９ａ・９ｂを定温維持させることができる。
【０１４９】
また、形態としては、カーテン、巻き上げ式のシャッター、引違扉等を用いることができ、１枚物でなく、複数のものからなるものであってもよい。これらは、自動的に開閉できるものの他、手動で開閉できるものであってもよい。開閉不要であれば、開閉の手間が省けるのでさらによい。
【０１５０】
本実施形態では、例えば、図９に示すように、すだれ状の複数の短冊シート５１…のビニールシートからなる間仕切り部材５０を使用している。
【０１５１】
この複数の短冊シート５１…からなる間仕切り部材５０は、各短冊シート５１の側端部が互いに重ね合わされている。この結果、複数の短冊シート５１…からなる間仕切り部材５０は、プランターＰＬが栽培室８ａ又は栽培室９ａにいずれかに存在する場合には、明期部８と暗期部９との遮光性が維持される。また、プランターＰＬを明期部８の栽培室８ａから暗期部９の栽培室９ａに移動させるときには、短冊シート５１…がそれぞれ分離しているので、間仕切り部材５０の開閉を行うことなく、各短冊シート５１…の間を通り抜けることによりプランターＰＬを容易に移動することができるものなっている。
【０１５２】
このように、本実施形態の栽培装置２Ａでは、明期部８と暗期部９とは互いに隣接して設けられているので、明期部８に設けられた照明部７からの光が暗期部９に漏れる虞がある。
【０１５３】
ここで、植物Ｐ１〜Ｐ６の活動は、昼に相当する明期と夜に相当する暗期との周期によって調整されており、明期には光合成を行う一方、花芽形成には暗期が必要である。このため、植物Ｐ１〜Ｐ６にとって明期と暗期とは明確に区別されていることが好ましい。したがって、明期部８における照明部７からの光が暗期部９に漏れた場合には、暗期部９に光が照射されることになり暗期部９は植物Ｐ１〜Ｐ６の暗期としての機能を果たせず、延いては植物Ｐ１〜Ｐ６の成長が害されることになる。
【０１５４】
そこで、本実施の形態の栽培装置２Ａでは、明期部８と暗期部９との間を遮光する遮光部材としての間仕切り部材５０が設けられている。これにより、明期部８において照明部７にて照明しても明期部８と暗期部９との境界にて間仕切り部材５０によって遮光され、その照明光が暗期部９に漏れることが殆ど無い。この結果、暗期部９では植物Ｐ１〜Ｐ６の成長に必要な暗期を確保することができ、植物Ｐ１〜Ｐ６は十分に成長することができる。また、明期部８と暗期部９とで個別に空調する場合においては、遮光部材としての間仕切り部材５０にて明期部８と暗期部９との間を仕切ることによって、明期部８と暗期部９との温度差を明確に維持することが可能となる。
【０１５５】
〔実施形態５〕
本発明の実施形態５について、図１０〜図１２に基づいて説明すれば、以下のとおりである。なお、説明の便宜上、実施形態１〜４にて説明した部材と同じ機能を有する部材については、同じ符号を付記し、その説明を省略する。
【０１５６】
前記実施形態３の栽培装置２Ａでは、遮光部材としての間仕切り部材５０が明期部８と暗期部９との境界に固定して設けられていた。これに対して、本実施形態の栽培装置２Ｂでは、図１０に示すように、明期部８と暗期部９との境界に固定された間仕切り部材５０に代えて、移動するプランターＰＬの移動方向の両端に設けられた栽培部搭載遮光部材としてのプランター搭載遮光部材６０が遮光部材として設けられている点が異なっている。
【０１５７】
本実施形態の栽培装置２Ｂの構成について、図１０及び図１１の（ａ）（ｂ）（ｃ）に基づいて説明する。図１０は、本実施形態５における栽培装置２Ｂを示すものであって、プランター搭載遮光部材６０を取り付けたプランターの構成を示す斜視図である。図１１の（ａ）（ｂ）（ｃ）は、栽培装置２ＢのプランターＰＬに取り付けられたプランター搭載遮光部材６０の構成を示すものであって、棚の傾斜に応じてプランター搭載遮光部材６０の遮光板６３が軸６２の回りに回動している状態を示す側面図である。
【０１５８】
本実施形態の栽培装置２Ｂでは、図１０に示すように、プランターＰＬにおける移動方向の両端に、遮光部材及び栽培部搭載遮光部材としてのプランター搭載遮光部材６０が設けられている。
【０１５９】
このプランター搭載遮光部材６０は、栽培部としてのプランターＰＬにおける移動方向の両端に立設された各一対の柱部材６１・６１と、この一対の柱部材６１・６１の上端にて水平方向に軸支されて軸６２の回りに回動自在の遮光板６３とからなっている。これによって、図１１の（ａ）（ｂ）（ｃ）に示すように、暗期部９に備えられている暗期棚１１ａ〜１３ａ・１１ｂ〜１３ｂが傾斜している場合には、遮光板６３は重力によって常に鉛直方向に平行となる。したがって、暗期部９に備えられている暗期棚１１ａ〜１３ａ・１１ｂ〜１３ｂが傾斜していても明期部８と暗期部９との間を遮光することができる。
【０１６０】
尚、本実施の形態のプランター搭載遮光部材６０は、遮光板６３が回動自在に軸６２に軸支されている。しかし、本発明においては、必ずしもこれに限らず、プランター搭載遮光部材６０がプランターＰＬに単に立設して固定して設けられているだけであってもよい。暗期部９に備えられている暗期棚１１ａ〜１３ａ・１１ｂ〜１３ｂが傾斜していない場合には、この構成によっても十分に明期部８と暗期部９との間を遮光できるためである。
【０１６１】
また、本実施形態では、一対の柱部材６１・６１は、プランターＰＬにおいて、移動方向の両端にそれぞれ移動方向に延設された延設部６４・６４の端部から立ち上げられている。これによって、プランターＰＬの植物Ｐ１〜Ｐ６が成長して移動方向に張り出してくるのが阻害されることがないようになっている。
【０１６２】
上記回動自在の遮光板６３を備えたプランター搭載遮光部材６０の動作について、図１２に基づいて具体的に説明する。図１２は、プランターＰＬに取り付けられたプランター搭載遮光部材６０の遮光板６３によって、明期部８及び暗期部９が遮光されている状態の栽培装置２Ｂを示す側面図である。
【０１６３】
図１２に示すように、本実施形態の栽培装置２Ｂでは、実施の形態３にて説明した栽培装置１Ｄと同様に、水平の明期棚２１ａ・２１ｂに対して暗期棚３１ａ・３２ａ・３３ａ及び暗期棚３１ｂ・３２ｂ・３３ｂは、傾斜して該明期棚２１ａ・２１ｂと接続されている。
【０１６４】
暗期棚３１ａ・３３ａは第１端部３１ａ１・３３ａ１から第２端部３１ａ２・３３ａ２にかけて上昇するように傾斜して配されている。暗期棚３１ｂ・３３ｂについても、同様に、第１端部３１ｂ１・３３ｂ１から第２端部３１ｂ２・３３ｂ２にかけて上昇するように傾斜して配されている。
【０１６５】
一方、中央の暗期棚３２ａ・３２ｂは、第１端部３２ａ１・３２ｂ１から第２端部３２ａ２・３２ｂ２にかけて下降するように傾斜して配されている。
【０１６６】
ここで、例えば、図１２に示す栽培装置２Ｂの暗期部９における上段の暗期棚３１ａ・３３ａにプランターＰＬが存在することを考える。この場合、暗期棚３１ａ・３３ａは、第１端部３１ａ１・３３ａ１から第２端部３１ａ２・３３ａ２にかけて上昇するように傾斜して配されている。このため、プランターＰＬの明期棚２１ａ側の端部のプランター搭載遮光部材６０における遮光板６３の下部は、柱部材６１に対して明期部８側に回動して鉛直方向と平行になる。この結果、明期部８と暗期部９との間が遮光されることになる。すなわち、明期部８と暗期部９との間に隙間ができないので、明期部８の照明部７の光が暗期部９に漏れることは殆どない。
【０１６７】
また、例えば、図１２に示す栽培装置２Ｂの暗期部９における下段の中央の暗期棚３２ｂにプランターＰＬが存在することを考える。この場合、暗期棚３２ｂは、第１端部３２ｂ１から第２端部３２ｂ２にかけて下降するように傾斜して配されている。このため、プランターＰＬの明期棚２１ａ側のプランター搭載遮光部材６０における遮光板６３の下部は、柱部材６１に対して明期部８側とは逆方向に回動して鉛直方向と平行になる。この結果、明期部８と暗期部９との間が遮光されることになる。すなわち、明期部８と暗期部９との間に隙間ができないので、明期部８の照明部７の光が暗期部９に漏れることは殆どない。
【０１６８】
さらに、例えば、図１２に示す栽培装置２Ｂの明期部８における上段の明期棚２１ａ・２１ｂにプランターＰＬが存在することを考える。この場合、明期棚２１ａ・２１ｂは、水平に配されている。このため、プランターＰＬの暗期部９側の端部のプランター搭載遮光部材６０における遮光板６３の下部は、鉛直方向に平行な柱部材６１と一致するように回動して鉛直方向と平行になる。この結果、明期部８と暗期部９との間が遮光されることになる。すなわち、明期部８と暗期部９との間に隙間ができないので、明期部８の照明部７の光が暗期部９に漏れることは殆どない。
【０１６９】
この結果、本実施の形態の栽培装置２Ｂのプランター搭載遮光部材６０では、明期棚２１ａ・２１ｂ及び暗期棚３１ａ〜３３ａ・３１ｂ〜３３ｂが上向き若しくは下向きのいずれに傾斜していても、又は傾斜していなくてもプランターＰＬの移動方向のいずれかの端部のプランター搭載遮光部材６０にて明期部８と暗期部９との間を遮光することができる。
【０１７０】
したがって、暗期部９では植物Ｐ１〜Ｐ６の成長に必要な暗期を確保することができ、植物Ｐ１〜Ｐ６は十分に成長することができる。また、明期部８と暗期部９とで個別に空調する場合においては、遮光部材としてのプランター搭載遮光部材６０によって、明期部８と暗期部９との温度差を明確に維持することが可能となる。
【０１７１】
このように、本実施の形態の栽培装置２Ｂでは、明期部８と暗期部９とは互いに隣接して設けられていると共に、明期部８と暗期部９との間を遮光する遮光部材としてのプランター搭載遮光部材６０が設けられている。
【０１７２】
これにより、明期部８において照明部７にて照明しても明期部８と暗期部９との間にてプランター搭載遮光部材６０によって遮光され、その照明光が暗期部９に漏れることが殆どない。この結果、暗期部９では植物Ｐ１〜Ｐ６の成長に必要な暗期を確保することができ、植物Ｐ１〜Ｐ６は十分に成長することができる。
【０１７３】
また、本実施の形態の栽培装置２Ｂでは、遮光部材は、栽培部としてのプランターＰＬにおける移動方向の両端にそれぞれ立設された栽培部搭載遮光部材としてのプランター搭載遮光部材６０からなっている。
【０１７４】
これにより、移動可能なプランターＰＬ自体にプランター搭載遮光部材６０からなる遮光部材が設けられているので、明期部８と暗期部９との間に複雑な機構を設けることなく、明期部８と暗期部９との間を遮光することができる。
【０１７５】
また、明期部８と暗期部９との間に例えばシャッターやカーテンを設けた場合に想定されるイチゴや株等の植物が該シャッターやカーテンに接触して傷むことを防止することができる。
【０１７６】
特に、本実施の形態では、遮光部材としてのプランター搭載遮光部材６０は、プランターＰＬにおける移動方向の両端にそれぞれ設けられている。このため、プランターＰＬが明期部８に存在するときにはプランターＰＬにおける暗期部９側の端部に設けられたプランター搭載遮光部材６０にて遮光する。一方、プランターＰＬが暗期部９に存在するときにはプランターＰＬにおける明期部８側の端部に設けられたプランター搭載遮光部材６０にて遮光する。
【０１７７】
すなわち、プランター搭載遮光部材６０がプランターＰＬにおける移動方向の一端にのみ設けられている場合には、遮光するときに明期部８又は暗期部９のいずれか一方でプランターＰＬを回転させなければ遮光できない。この点、本実施の形態では、プランターＰＬを回転する必要が無いので、明期部８と暗期部９とを直線的に移動できるスペースがあれば足り、無駄な回転スペースが必要となるのを回避することができる。
【０１７８】
また、本実施の形態の栽培装置２Ｂでは、プランター搭載遮光部材６０は、プランターＰＬにおける移動方向の両端に立設された柱部材６１・６１と、この柱部材６１・６１の上端にて水平方向に軸支されて軸６２の回りに回動自在の遮光板６３・６３とからなっている。
【０１７９】
すなわち、暗期部９の暗期棚３１ａ〜３３ａ・３１ｂ〜３３ｂが傾斜している場合に、プランターＰＬにおける移動方向の両端にそれぞれ設けられたプランター搭載遮光部材６０・６０が不動状態に固定されているときには、明期部８と暗期部９との境界にプランター搭載遮光部材６０を配したとしても、鉛直方向に対して隙間ができる。このため、明期部８における照明部７からの光が該隙間から暗期部９に漏れる。
【０１８０】
これに対して、本実施の形態のプランター搭載遮光部材６０の遮光板６３は、プランターＰＬにおける移動方向の両端に設けられた柱部材６１・６１の上端において水平に軸支され、軸６２の回りに回動自在となっている。このため、暗期部９の暗期棚３１ａ〜３３ａ・３１ｂ〜３３ｂが傾斜していても遮光板６３は重力によって回動して常に鉛直方向に平行となる。この結果、暗期部９の暗期棚３１ａ〜３３ａ・３１ｂ〜３３ｂが傾斜していてもプランター搭載遮光部材６０の遮光板６３が回動するので、鉛直方向に対して隙間ができることがない。したがって、明期部８から暗期部９に光が漏れるのを防止することができる。
【０１８１】
〔実施形態６〕
本発明の実施形態６について、図１３に基づいて説明すれば、以下のとおりである。なお、説明の便宜上、実施形態１〜５にて説明した部材と同じ機能を有する部材については、同じ符号を付記し、その説明を省略する。
【０１８２】
本実施形態の栽培装置２Ｃは、実施形態５の栽培装置２Ａに加えて、図１３に示すように、明期部８及び暗期部９をそれぞれ個別に空調する個別空調部７０・７０が設けられている点が異なっている。
【０１８３】
本実施形態の栽培装置２Ｃの構成について、図１３の（ａ）（ｂ）に基づいて説明する。図１３の（ａ）は、本実施形態における栽培装置２Ｃの構成を示す正面図である。図１３の（ｂ）は、図１３の（ａ）に示す栽培装置２Ｃの構成を示す斜視図である。
【０１８４】
本実施形態の栽培装置２Ｃでは、図１３に示すように、明期部８及び暗期部９をそれぞれ個別に空調する個別空調部７０が設けられている。
【０１８５】
上記個別空調部７０は、明期部用空調部７１と暗期部用空調部７２との各個別の空調部から構成されている。
【０１８６】
上記明期部用空調部７１は、温風を調整する温風調整部７１ａと、この温風調整部７１ａにて調製された温風を明期部８の上側に供給するための温風供給ダクト７１ｂと、明期部８に供給された温風を明期部８の下側から回収し、温風調整部７１ａに戻す温風回収ダクトとから構成されている。
【０１８７】
温風調整部７１ａは、照明部７の熱によって循環気流が温まり、かつ植物からの蒸散により気中水分量が上昇するので、冷却・除湿の調整を行う。
【０１８８】
一方、上記暗期部用空調部７２は、冷風を調整する冷風調整部７２ａと、この冷風調整部７２ａにて調整された冷風を暗期部９の上側に供給するための冷風供給ダクト７２ｂと、暗期部９に供給された冷風を暗期部９の下側から回収し、冷風調整部７２ａに戻す冷風回収ダクト７２ｃとから構成されている。
【０１８９】
すなわち、温風調整部７１ａ及び冷風調整部７２ａは、温度を調整するだけでなく、湿度も調整できるようになっていることが好ましい。
【０１９０】
ここで、上記温風及び冷風は、相対的なものであって、温風は冷風よりも相対的に暖かい空気をいい、冷風は温風よりも相対的に冷たい空気をいう。
【０１９１】
例えばイチゴの収穫期においては、明期部８の環境条件は以下であることが好ましい。
温度：２０〜２５℃
湿度：６０〜８０％
風速：０．１〜０．４ｍ／ｓｅｃ
また、イチゴの収穫期において、暗期部９の環境条件は以下であることが好ましい。
温度：８〜１２℃
湿度：８０〜９０％
風速：０．１〜０．４ｍ／ｓｅｃ
尚、上記の値は、イチゴの収穫期に関するものであり、イチゴの育苗期には異なる値が好ましい。また、植物の品種によっても、最適範囲は異なる。しかし、一般的に、明期部８は暗期部９に比べて高温であり、暗期部９は明期部８に比べて多湿である。
【０１９２】
ここで、栽培装置において、遮光部材や個別空調部が存在しない場合に、イチゴの収穫期において上記の環境条件とすることを考える。
【０１９３】
例えば、明期の環境条件内で最も空気中の水分が低い温度２０℃及び相対湿度６０％の場合、露点温度は１１．９９℃である。このため、暗期側で、これ以下の温度に下げると、湿度１００％を越えてしまうので、結露が発生する。尚、温度２５℃及び相対湿度８０％では、露点温度は、２１．２℃であり、暗期側の温度・湿度条件では、さらに容易に結露する。
【０１９４】
したがって、上記の環境条件においては、明期又は暗期の条件を共存できる適度な水分量を含む空気条件がない。この結果、明期部８及び暗期部９のそれぞれの空間に、温度条件及び湿度条件を調整できる個別空調部７０が存在することが好ましく、かつ明期部８と暗期部９との環境条件をそれぞれ個別に確保するための遮光部材の存在が欠かせないことになる。
【０１９５】
この点、本実施形態の栽培装置２Ｃでは、図１３の（ａ）（ｂ）に示すように、明期部８と暗期部９との境界に間仕切り部材５０が設けられていると共に、明期部８に対して個別に空調する明期部用空調部７１と暗期部９に対して個別に空調する暗期部用空調部７２とからなる個別空調部７０が設けられている。
【０１９６】
この結果、本実施の形態の栽培装置２Ｃでは、明期部８及び暗期部９において、適切な環境条件を確保することが可能となっており、植物Ｐ１〜Ｐ６の栽培に適したものとなっている。すなわち、間仕切り部材５０及び個別空調部７０を設置しない場合においては、明期部８及び暗期部９の両方において、昼夜を問わず、同じ温度・湿度環境下で栽培することになり、適切な環境条件を得ることができないことになる。
【０１９７】
このように、本実施の形態の栽培装置２Ｃでは、遮光部材としての間仕切り部材５０に加えて、明期部８と暗期部９とをそれぞれ個別に空調する個別空調部７０が設けられている。これにより、個別空調部７０の明期部用空調部７１と暗期部用空調部７２とを用いて、明期部８と暗期部９とをそれぞれ個別に空調することができる。具体的には、明期部８での温度条件及び湿度条件を保つ一方、暗期部９ではそれよりも低い温度条件及び高い湿度条件に保つことができる。つまり、明期部８と暗期部９とで温度差を生じさせることができる。そして、明期部８と暗期部９との間には、遮光部材としての例えば間仕切り部材５０が設けられているので、明期部８及び暗期部９の各環境条件をいつまでも維持することができる。したがって、植物の成長を促進することができる。
【０１９８】
尚、上記の説明では、栽培装置２Ｃは、遮光部材としての間仕切り部材５０に加えて、明期部８と暗期部９とをそれぞれ個別に空調する個別空調部７０が設けられているとして説明した。しかしながら、本発明においては、必ずしもこれに限らず、例えば、遮光部材及び栽培部搭載遮光部材としてのプランター搭載遮光部材６０に加えて、明期部８と暗期部９とをそれぞれ個別に空調する個別空調部７０が設けられているとすることも可能である。
【０１９９】
これによっても、遮光部材及び栽培部搭載遮光部材としてのプランター搭載遮光部材６０によって、明期部８及び暗期部９の各環境条件をいつまでも維持することができる。したがって、植物の成長を促進することができる。
【０２００】
また、本実施の形態では、明期部８及び暗期部９のいずれも風が上から下に吹き下ろす構成となっている。ただし、必ずしもこれに限らず、明期部８及び暗期部９のいずれも風が下から上に吹き上げる構成でもよい。また、明期部８が上から下に吹き下ろす構成となっており、暗期部９が下から上に吹き上げる構成でもよい。或いは、その逆でもよい。
【０２０１】
〔まとめ〕
本発明の態様１における栽培装置１Ａ〜１Ｄ・２Ａ〜２Ｃは、天板６ａ・６ｂと、上記天板６ａ・６ｂの一部領域に固定されている照明部７と、上記照明部７を含み、栽培している植物Ｐ１〜Ｐ６が明期のとき当該植物が配される明期部８と、上記照明部７を含まず、上記植物Ｐ１〜Ｐ６が暗期のとき当該植物Ｐ１〜Ｐ６が配される暗期部９と、上記植物Ｐ１〜Ｐ６が栽培されている栽培部（プランターＰＬ）とを備え、上記栽培部（プランターＰＬ）は、上記明期部８及び暗期部９間を移動可能とする移動部（車輪ＷＨ）を有することを特徴とする。なお、明期とは昼に相当する期間をいい、暗期とは夜に相当する期間をいう。
【０２０２】
上記構成によると、上記照明部は上記天板に固定されており、上記栽培部は、上記明期棚及び暗期棚間を移動可能とする移動部を有する。このため、上記栽培部を、上記明期棚及び上記暗期棚間を移動させることで、上記栽培部で栽培されている植物の明期と暗期とを変更することができる。このため、特許文献１とは異なり、栽培している植物の明期と暗期とを変更するために上記照明部を移動させる作業が必要無い。この結果、照明部に接続された配線がからむ問題は生じないので、作業効率の低下を防止することができる。また、明期と暗期との入れ替えに伴って温度を変化させる必要がないため、空調に要する費用の増加を防止することができる。
【０２０３】
したがって、照明装置を用いて植物を栽培する栽培装置における作業効率の低下を防止し、かつ、空調に要する費用の増加を防止することができる。
【０２０４】
本発明の態様２における栽培装置１Ｂ〜１Ｄは、上記態様１の栽培装置において、上記明期部８に配され、上記照明部７と対向配置されている明期棚２１ａ・２１ｂと、上記暗期部９に配され、上記明期棚２１ａ・２１ｂの一側面と接続されていると共に、互いに隣接し、順に並んで配された複数の暗期棚３１ａ〜３３ａ・３１ｂ〜３３ｂ・４１ａ〜４３ａ・４１ｂ〜４３ｂを備え、上記複数の暗期棚３１ａ〜３３ａ・３１ｂ〜３３ｂ・４１ａ〜４３ａ・４１ｂ〜４３ｂは、互いに隣接する暗期棚３１ａ〜３３ａ・３１ｂ〜３３ｂ・４１ａ〜４３ａ・４１ｂ〜４３ｂ同士が非平行であることが好ましい。
【０２０５】
上記構成によると、複数の暗期棚のうち、互いに隣接して配された暗期棚間での植物の接触を抑制することができる。このため、効率よく、かつ傷が付くことを抑制して植物を栽培することができる。
【０２０６】
本発明の態様３における栽培装置１Ｃは、上記態様２の栽培装置において、上記複数の暗期棚は、平面視において順に並ぶ第１暗期棚（暗期棚４１ａ）、第２暗期棚（暗期棚４２ａ）、及び第３暗期棚（暗期棚４３ａ）を備え、上記第２暗期棚（暗期棚４２ａ）は水平であり、上記第１暗期棚（暗期棚４１ａ）は、上記明期棚２１ａと近い側の端部である第１端部４１ａ１よりも遠い側の端部である第２端部４１ａ２の方が鉛直方向上方となるように傾斜しており、上記第３暗期棚（暗期棚４３ａ）は、上記明期棚２１ａと近い側の端部である第１端部４３ａ１よりも遠い側の端部である第２端部４３ａ２の方が鉛直方向下方となるように傾斜していてもよい。上記構成によっても、複数の暗期棚のうち、互いに隣接して配された暗期棚間での植物の接触を抑制することができる。
【０２０７】
本発明の態様４における栽培装置１Ｂ〜１Ｄは、上記態様２の栽培装置において、上記複数の暗期棚は、平面視において順に並ぶ第１暗期棚（暗期棚４１ａ）、第２暗期棚（暗期棚４２ａ）、及び第３暗期棚（暗期棚４３ａ）を備え、上記第１暗期棚（暗期棚４１ａ）と上記第３暗期棚（暗期棚４３ａ）との距離（幅Ｗ２３）は、上記第２暗期棚（暗期棚４２ａ）に配される植物Ｐ２の幅（ＷＰ２）以上である。上記構成によると、上記第２暗期棚に植物を移動させる際、当該植物と、上記第１暗期棚及び上記第３暗期棚との接触を防止することができる。このため、より確実に植物が傷つくことを防止することができる。
【０２０８】
本発明の態様５における栽培装置１Ｂ〜１Ｄは、上記態様２〜４の栽培装置において、上記互いに隣接する複数の暗期棚３１ａ〜３３ａ・３１ｂ〜３３ｂ・４１ａ〜４３ａ・４１ｂ〜４３ｂは、互いに離間している。
【０２０９】
上記構成によると、密度を高く植物を栽培しつつ、植物が傷つくことを防止することができる。
【０２１０】
本発明の態様６における栽培装置２Ａ〜２Ｃは、上記態様１の栽培装置において、上記明期部８と暗期部９とは互いに隣接して設けられていると共に、上記明期部８と暗期部９との間を遮光する遮光部材（間仕切り部材５０・プランター搭載遮光部材６０）が設けられていることを特徴としている。
【０２１１】
上記の発明によれば、明期部において照明部にて照明しても明期部と暗期部との境界にて遮光部材によって遮光され、その照明光が暗期部に漏れることが殆どない。この結果、暗期部では植物の成長に必要な暗期を確保することができ、植物は十分に成長することができる。また、明期部と暗期部とで個別に空調する場合においては、遮光部材にて明期部と暗期部との間を仕切ることによって、明期部と暗期部との温度差を明確に維持することが可能となる。
【０２１２】
本発明の態様７における栽培装置２Ａ〜２Ｃは、上記態様６の栽培装置において、上記遮光部材は、上記栽培部（プランターＰＬ）における移動方向の両端にそれぞれ立設された栽培部搭載遮光部材（プランター搭載遮光部材６０）からなっているとすることができる。
【０２１３】
これにより、移動可能な栽培部自体に栽培部搭載遮光部材からなる遮光部材が設けられているので、明期部と暗期部との間に複雑な機構を設けることなく、上記明期部と暗期部との間を遮光することができる。
【０２１４】
また、明期部と暗期部との間に例えばシャッターやカーテンを設けた場合に想定されるイチゴや株等の植物が該シャッターやカーテンに接触して傷むことを防止することができる。
【０２１５】
特に、本発明では、遮光部材としての栽培部搭載遮光部材は、栽培部における移動方向の両端にそれぞれ設けられている。このため、栽培部が明期部に存在するときには栽培部における暗期部側の端部に設けられた栽培部搭載遮光部材にて遮光する。一方、栽培部が暗期部に存在するときには栽培部における明期部側の端部に設けられた栽培部搭載遮光部材にて遮光する。
【０２１６】
すなわち、栽培部搭載遮光部材が栽培部における移動方向の一端にのみ設けられている場合には、遮光するときに明期部又は暗期部のいずれか一方で栽培部を回転させなければ遮光できない。この点、本発明では、栽培部を回転する必要が無いので、明期部と暗期部とを直線的に移動できるスペースがあれば足り、無駄な回転スペースが必要となるのを回避することができる。
【０２１７】
本発明の態様８における栽培装置２Ａ〜２Ｃは、上記態様２〜５のいずれか１の栽培装置において、上記明期部８と暗期部９とは互いに隣接して設けられ、上記明期部８と暗期部９との間を遮光する遮光部材が設けられており、上記遮光部材は、上記栽培部（プランターＰＬ）における移動方向の両端にそれぞれ立設された栽培部搭載遮光部材（プランター搭載遮光部材６０）からなっていると共に、上記栽培部搭載遮光部材（プランター搭載遮光部材６０）は、上記栽培部（プランターＰＬ）における移動方向の両端に立設された柱部材６１と、この柱部材６１の上端にて水平方向に軸支されて軸６２の回りに回動自在の遮光板６３とからなっていることが好ましい。
【０２１８】
上記の発明によれば、栽培部搭載遮光部材の遮光板は、栽培部における移動方向の両端に設けられた柱部材の上端において水平に軸支され、軸の回りに回動自在となっている。このため、棚が傾斜していても遮光板は重力によって回動して常に鉛直方向に平行となる。この結果、棚が傾斜していても栽培部搭載遮光部材の遮光板が回動するので、鉛直方向に対して隙間ができることがない。したがって、明期部から暗期部に光が漏れるのを防止することができる。
【０２１９】
本発明の態様９における栽培装置２Ａ〜２Ｃは、上記態様６、７又は８の栽培装置において、上記遮光部材は、上記明期部８と暗期部９との間を仕切り、かつ上記栽培部（プランターＰＬ）における上記明期部８及び暗期部９間の移動を可能とする間仕切り部材５０からなっているとすることができる。
【０２２０】
これにより、明期部と暗期部との境界に設けられて明期部と暗期部との間を仕切る間仕切り部材にて、明期部と暗期部との間を遮光することができる。また、明期部と暗期部とをそれぞれ個別の温度に低温維持することができる。
【０２２１】
本発明の態様１０における栽培装置２Ａ〜２Ｃは、上記態様６〜９のいずれか１の栽培装置において、上記明期部８と暗期部９とをそれぞれ個別に空調する個別空調部７０が設けられていることが好ましい。
【０２２２】
これにより、個別空調部にて、明期部と暗期部とをそれぞれ個別に空調することができる。具体的には、明期部での温度条件及び湿度条件を保ち、暗期部ではそれよりも低い温度条件及び高い湿度条件に保つことができる。そして、明期部と暗期部との間には、遮光部材が設けられているので、明期部及び暗期部の各環境条件をいつまでも維持することができる。したがって、植物の成長を促進することができる。
【０２２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２２４】
本発明は、植物を照明することで栽培する栽培装置に関する。
【符号の説明】
【０２２５】
１Ａ〜１Ｄ    栽培装置
２Ａ〜２Ｃ    栽培装置
６ａ・６ｂ    天板
７            照明部
８            明期部
８ａ・８ｂ    栽培室
９            暗期部
９ａ・９ｂ    栽培室
１１ａ          暗期棚
１１ａ〜１３ａ  暗期棚
１１ｂ〜１３ｂ  暗期棚
２１ａ・２１ｂ  明期棚
３１ａ・３１ｂ  暗期棚（第１暗期棚）
３２ａ・３２ｂ  暗期棚（第２暗期棚）
３３ａ・３３ｂ  暗期棚（第３暗期棚）
４１ａ・４１ｂ  暗期棚（第１暗期棚）
４２ａ・４２ｂ  暗期棚（第２暗期棚）
３３ａ・３３ｂ  暗期棚（第３暗期棚）
４３ａ・４３ｂ  暗期棚（第３暗期棚）
５０            間仕切り部材（遮光部材）
６０            プランター搭載遮光部材（遮光部材、栽培部搭載遮光部材）
６１            柱部材
６２            軸
６３            遮光板
７０            個別空調部
７１            明期部用空調部
７１ａ          温風調整部
７１ｂ          温風供給ダクト
７２            暗期部用空調部
７２ａ          冷風調整部
７２ｂ          冷風供給ダクト
７２ｃ          冷風回収ダクト
Ｐ１〜Ｐ６      植物
ＰＬ            プランター（栽培部）
ＷＨ            車輪（移動部）
【図１】
2015177785.tif 000003
【図２】
2015177785.tif 000004
【図３】
2015177785.tif 000005
【図４】
2015177785.tif 000006
【図５】
2015177785.tif 000007
【図６】
2015177785.tif 000008
【図７】
2015177785.tif 000009
【図８】
2015177785.tif 000010
【図９】
2015177785.tif 000011
【図１０】
2015177785.tif 000012
【図１１】
2015177785.tif 000013
【図１２】
2015177785.tif 000014
【図１３】
2015177785.tif 000015
【図１４】
2015177785.tif 000016